【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
複数のノードを有するとともに、物理層及び１つ以上の他の層とインタフェースするメディアアクセス制御（ＭＡＣ）副層を含む複数の通信層を有するネットワークにおいて通信を行なう方法であって、
第１のノードのポリシーエンジンにより知られていないＴＬＶ定義に対応するＴＬＶ情報を他のノードから前記第１のノードにより受信するステップであって、前記ＴＬＶ定義は、ＴＬＶセグメントのペイロードを前記第１のノードに処理可能にさせる定義である、ステップと、
前記ＴＬＶ定義を含むように、前記第１のノードの前記ポリシーエンジンを再構成するステップと、
前記ネットワークにおける前記ＭＡＣ副層で前記第１のノードにより受信されるＴＬＶメッセージから１以上のＴＬＶセグメントを前記第１のノードによりパースするステップと、
前記再構成された前記第１のノードのポリシーエンジンの前記ＴＬＶ情報を用いて、前記１以上のＴＬＶセグメントに含まれる情報の処理に基づいて前記第１のノードの構成を変更するステップと
を含むことを特徴とする方法。
【請求項２】
前記ＴＬＶ情報は、非推奨のＴＬＶ形式を特定し、
前記ポリシーエンジンを再構成するステップは、
前記ポリシーエンジンから前記非推奨のＴＬＶ形式の前記定義を除去するステップ
を含むことを特徴とする請求項１記載の方法。
【請求項３】
前記ＴＬＶメッセージから前記１以上のＴＬＶセグメントをパースするステップは、
通信リンクのタイミング及び優先順位情報を示すＴＬＶ値を抽出するステップ
を含むことを特徴とする請求項１記載の方法。
【請求項４】
前記ＴＬＶメッセージから前記１以上のＴＬＶセグメントをパースするステップは、
前記ネットワークの変調周波数を示すＴＬＶ値を抽出するステップ
を含むことを特徴とする請求項１記載の方法。
【請求項５】
前記ＴＬＶメッセージから前記１以上のＴＬＶセグメントをパースするステップは、
前記第１のノードのタイミング及び同期を示すＴＬＶ値を抽出するステップ
を含むことを特徴とする請求項１記載の方法。
【請求項６】
前記ＴＬＶメッセージから前記１以上のＴＬＶセグメントをパースするステップは、
周波数ホッピング方式のホッピングシーケンスパラメータを示すＴＬＶ値を抽出するステップ
を含むことを特徴とする請求項１記載の方法。
【請求項７】
前記ＴＬＶメッセージから前記１以上のＴＬＶセグメントをパースするステップは、
前記第１のノードの前記ポリシーエンジンにより知られていない前記ＴＬＶメッセージのセグメントをスキップするステップ
を含むことを特徴とする請求項１記載の方法。
【請求項８】
前記ＴＬＶメッセージから前記１以上のＴＬＶセグメントをパースするステップは、
巡回冗長検査値を示すＴＬＶ値を抽出するステップ
を含むことを特徴とする請求項１記載の方法。
【請求項９】
前記ＴＬＶメッセージから前記１以上のＴＬＶセグメントをパースするステップは、
エポックティック（epoch tick）パラメータを示すＴＬＶ値を抽出するステップ
を含むことを特徴とする請求項１記載の方法。
【請求項１０】
前記１以上のＴＬＶセグメントに含まれる情報の処理に基づいて前記第１のノードの構成を変更するステップは、
第１の無線規格に従ったフレームフォーマットを使用する構成から第２の無線規格に従ったフレームフォーマットを使用する構成へ前記第１のノードの前記構成を変更するステップ
を含むことを特徴とする請求項１記載の方法。
【請求項１１】
前記受信したＴＬＶ情報は、
セキュリティポリシー、チャネル最適化、電力調整、ルーティング、及びデータ処理の少なくとも１つを達成するために、ＴＬＶセグメントのペイロードを前記第１のノードに処理可能にさせるための前記ＴＬＶ定義を含む
ことを特徴とする請求項１記載の方法。
【請求項１２】
前記第１のノードから前記他のノードに対して、前記ＴＬＶ定義に対応するＴＬＶ情報に関する要求を送信するステップ
を更に含むことを特徴とする請求項１記載の方法。
【請求項１３】
前記第１のノードから前記他のノードに対して、前記情報に関する前記要求を送信するステップは、
閾値を越えるか否かを前記第１のノードにより判定するステップ
を含むことを特徴とする請求項１２記載の方法。
【請求項１４】
前記閾値は、（ｉ）前記ＴＬＶ定義を用いるノードの割合、（ｉｉ）前記第１のノードにより受信されるＴＬＶセグメントのペイロードを前記第１のノードに処理可能にさせるために前記ＴＬＶ定義が必要とするＴＬＶセグメントを前記第１のノードが受信した回数、の少なくとも１つである
ことを特徴とする請求項１３記載の方法。
【請求項１５】
前記第１のノードから前記他のノードに対して、前記情報に関する要求を送信するステップは、
前記ＴＬＶ定義が前記第１のノードの前記ポリシーエンジンにより知られていないと判定されたことに応答して実行される
ことを特徴とする請求項１２記載の方法。
【請求項１６】
前記第１のノードから前記他のノードに対して、前記情報に関する要求を送信するステップは、
前記他のノードが前記ＴＬＶ定義を有する旨を示すことに応答して行なわれる
ことを特徴とする請求項１５記載の方法。
【請求項１７】
前記第１のノードから前記他のノードに対して、前記情報に関する要求を送信するステップは、
前記他のノードが前記ＴＬＶ定義を有する旨の複数の他のノードからの指示に基づいて行なわれる
ことを特徴とする請求項１２記載の方法。
【請求項１８】
前記ＭＡＣ副層の第１のプロトコルに従って受信されたＴＬＶメッセージ内の複数のＴＬＶセグメントを処理するために前記第１のノードにより使用される複数のＴＬＶ定義を含む第１のフレームフォーマットに関連する情報を前記第１のノードにおいて保持するステップと、
前記第１のＭＡＣ副層プロトコルと異なる第２のＭＡＣ副層プロトコルに従って受信されたＴＬＶメッセージ内の複数のＴＬＶセグメントを処理するために前記第１のノードにより使用される複数のＴＬＶ定義を含むように、前記第１のフレームフォーマットを第２のフレームフォーマットに適合させるステップと
を更に含むことを特徴とする請求項１記載の方法。
【請求項１９】
前記ネットワークにおける少なくとも１つの他のノードから前記第１のノードにより受信されたＴＬＶメッセージ内の複数のＴＬＶセグメントを用いて、前記第２のフレームフォーマットに関連する少なくともいくつかのＴＬＶ定義を受信するステップ
を更に含むことを特徴とする請求項１８記載の方法。
【請求項２０】
前記第１のノードは、
前記第１のノードにより受信されたデータパケット内の認識されていないＴＬＶセグメントについての情報に関して前記第１のノードにより送信された要求に応答して、ＴＬＶ定義を受信する
ことを特徴とする請求項１９記載の方法。
【請求項２１】
前記第１のノードは、
前記認識されていないＴＬＶセグメントを含む所定の閾値数の複数のデータパケットの受信に応答して前記要求を送信する
ことを特徴とする請求項２０記載の方法。
【請求項２２】
前記第１のフレームフォーマットを前記第２のフレームフォーマットに適合させるステップは、
前記第１のフレームフォーマットに含まれるが前記第２のフレームフォーマットに含まれない少なくとも１つのＴＬＶ定義を推奨しないステップ
を含むことを特徴とする請求項１８記載の方法。
【請求項２３】
通信ネットワークのノードであって、
ネットワーク通信における第一のメディアアクセス制御（ＭＡＣ）副層プロトコルに適合するデータパケットを受信する手段であって、
前記データパケットは、ＭＡＣヘッダとデータセグメントを含み、
前記データセグメントは、前記ＭＡＣヘッダに関連する１または複数の可変長ＴＬＶ（type-length-value）要素に符号化されたデータを含む、手段と、
前記第一のＭＡＣ副層プロトコルに従って受信された前記データパケットの前記データセグメント内の前記ＴＬＶ要素を処理するために、前記ノードによって利用可能なＴＬＶ定義を含む第一のフレームフォーマットに関連する情報を保持する手段と、
前記第１のＭＡＣ副層プロトコルと異なる第２のＭＡＣ副層プロトコルに従って受信されたデータパケットのデータセグメント内のＴＬＶ要素を処理するために、前記ノードによって利用可能なＴＬＶ定義を含むように、前記第１のフレームフォーマットを第２のフレームフォーマットに適合させる手段と
を有することを特徴とするノード。
【請求項２４】
前記通信ネットワークの少なくとも一つの他のノードから前記ノードによって受信されたデータパケットのデータセグメント内のＴＬＶ要素を用いて、前記第２のフレームフォーマットの少なくともいつかの前記ＴＬＶ定義を受信する手段
を更に有することを特徴とする請求項２３記載のノード。
【請求項２５】
前記ノードは、
前記ノードにより受信されたデータパケット内の認識されていないＴＬＶについての情報に関して前記ノードによって送信された要求に応答して、ＴＬＶ定義を受信する
ことを特徴とする請求項２４記載のノード。
【請求項２６】
前記ノードは、
予め定められた閾値の数の前記認識されていないＴＬＶを含むデータパケットを受信することに応答して、前記要求を送信する
ことを特徴とする請求項２５記載のノード。
【請求項２７】
前記第１のフレームフォーマットを前記第２のフレームフォーマット適合させる手段は、
前記第１のフレームフォーマットには含まれており、かつ、前記第２のフレームフォーマットには含まれてない少なくとも一つのＴＬＶ定義を非推奨化する手段
を含むことを特徴とする請求項２３記載のノード。